(57)【要約】【課題】ユーザの志向に則した最新の情報をそのユーザの携帯端末にリアルタイムで送信することができる広告情報配信システムを提供する。【解決手段】FemtoＡＰ（極小型基地局）５が、Femtoセル２の配下に存在する移動端末７ａ，７ｂの位置登録情報及びFemtoＡＰ５の配置場所情報を広告配信サーバ３へ送信する。ＰＯＳ６が、販売店における購買情報及び時刻情報を収集して広告配信サーバ３へ送信する。これにより、広告配信サーバ３は、FemtoＡＰ５の送信した移動端末７ａ，７ｂの位置登録情報と、ＰＯＳ６の送信した購買情報及び時刻情報とに基づいて、ユーザ志向にマッチした電子広告をデータベースより検索し、所望の電子広告をFemtoＡＰ５へ送信する。FemtoＡＰ５は受信した電子広告を移動端末７ａ，７ｂに対して配信する。【選択図】図１
2010170426.tif 000002
【特許請求の範囲】
【請求項１】
ネットワークを介して、移動端末に対して電子広告を配信する広告情報配信システムであって、
通信サービスエリアの配下に存在する前記移動端末の位置登録情報及び自己の配置場所情報を検出する極小型基地局と、
販売店における購買情報及び時刻情報を収集するＰＯＳと、
前記極小型基地局が送信した前記移動端末の位置登録情報と前記ＰＯＳが送信した購買情報及び時刻情報とに基づいて、前記極小型基地局へ電子広告を送信する広告配信サーバとを備え、
前記極小型基地局が、広告配信サーバから送信された前記電子広告を前記移動端末に対して配信することを特徴とする広告情報配信システム。
【請求項２】
前記ＰＯＳは、前記広告配信サーバの機能を備えていることを特徴とする請求項１に記載の広告情報配信システム。
【請求項３】
前記広告配信サーバは、
前記購買情報を、前記位置登録情報と前記時刻情報をインデックスとしたユーザの志向として分析し、分析結果を統計情報として管理する第1のデータベースと、
電子広告の配信ターゲットを分析し、分析され前記電子広告と前記統計情報とをマッピングして管理する第２のデータベースと
を備えることを特徴とする請求項１又は２に記載の広告情報配信システム。
【請求項４】
前記広告配信サーバは、前記位置登録情報の受信タイミングを契機として前記第２のデータベースを検索し、前記極小型基地局へ該当する電子広告を配信することを特徴とする請求項３に記載の広告情報配信システム。
【請求項５】
ネットワークを介して、極小型基地局の通信サービスエリアの配下に存在する移動端末に対して電子広告を配信する広告情報配信システムであって、
広告配信サーバが、ＰＯＳの収集した購買情報及び時刻情報と、前記極小型基地局が検出した前記移動端末の位置登録情報とに基づいて、前記極小型基地局を介して前記移動端末へ電子広告を配信することを特徴とする広告情報配信システム。
【請求項６】
ネットワークを介して、移動端末に対して電子広告を配信する広告情報配信方法であって、
極小型基地局が、通信サービスエリアの配下に存在する前記移動端末の位置登録情報及び自己の配置場所情報を検出する第１のステップと、
ＰＯＳが、販売店における購買情報及び時刻情報を収集する第２のステップと、
広告配信サーバが、前記極小型基地局の送信した前記移動端末の位置登録情報と、前記ＰＯＳの送信した購買情報及び時刻情報とに基づいて、前記極小型基地局へ電子広告を送信する第３のステップと、
前記極小型基地局が、前記広告配信サーバから送信された前記電子広告を前記移動端末に対して配信する第４のステップと
を含むことを特徴とする広告情報配信方法。
【請求項７】
前記第３のステップにおいて、広告配信サーバは、前記購買情報を、前記位置登録情報と前記時刻情報をインデックスとしたユーザの志向として分析し、分析結果を統計情報として第1のデータベースへ格納すると共に、電子広告の配信ターゲットを分析し、分析され前記電子広告と前記統計情報とをマッピングして第２のデータベースへ格納することを特徴とする請求項６に記載の広告情報配信方法。
【請求項８】
前記第３のステップにおいて、前記広告配信サーバは、前記位置登録情報の受信タイミングを契機として前記第２のデータベースを検索し、前記極小型基地局へ該当する電子広告を配信することを特徴とする請求項７に記載の広告情報配信方法。
【請求項９】
請求項６乃至８の何れか１項に記載の広告情報配信方法をコンピュータに実行させるプログラム。
【請求項１０】
ネットワークを介して、極小型基地局の通信サービスエリアの配下に存在する移動端末に対して電子広告を配信する広告配信サーバであって、
ＰＯＳの収集した購買情報及び時刻情報と、前記極小型基地局が検出した前記移動端末の位置登録情報とに基づいて、前記極小型基地局を介して前記移動端末へ電子広告を配信することを特徴とする広告配信サーバ。
【請求項１１】
前記ＰＯＳが送信した購買情報及び時刻情報と、前記極小型基地局が送信した前記移動端末の位置登録情報とを受信するデータ送受信部と、
前記データ送受信部が受信した情報と電子広告とを対応付けて管理するデータ管理部と、
前記データ管理部に格納されたデータを分析して、そのデータ管理部に格納された電子広告を選択する電子広告選択部とを備え、
前記データ送受信部が、前記電子広告選択部の選択した電子広告を、前記極小型基地局を介して前記移動端末へ配信することを特徴とする請求項１０に記載の広告配信サーバ。
【請求項１２】
前記データ管理部は、前記購買情報を、前記位置登録情報と前記時刻情報をインデックスとしたユーザの志向として分析し、分析結果を統計情報として管理する第1のデータベースと、
前記電子広告の配信ターゲットを分析し、分析され電子広告と前記統計情報とをマッピングして管理する第２のデータベースと
を備えることを特徴とする請求項１１に記載の広告配信サーバ。
【請求項１３】
前記電子広告選択部は、前記位置登録情報の受信タイミングを契機として前記第２のデータベースを検索し、
前記データ送受信部は、前記電子広告選択部の検索結果に対応した電子広告を、前記極小型基地局を介して前記移動端末へ配信することを特徴とする請求項１２に記載の広告配信サーバ。
【発明の詳細な説明】
【技術分野】
【０００１】
本発明は、ユーザの購買活動を支援する広告情報配信システム、広告情報配信方法、その方法をコンピュータに実行させるプログラム、及び広告配信サーバに関する。
【背景技術】
【０００２】
従来より、テレビコマーシャルを流したり、不特定な携帯端末に対して広告情報を配信したりして、商品の広告・宣伝を行う活動が盛んに行われているが、このような画一的な広告情報ではユーザの購買活動をきめ細かに支援することはできない。また、従来のＣＢＳ(セルブロードキャストサービス)は、広範囲なユーザに対して情報を提供することになるので、個々のユーザに対して志向性を持った情報を提供することは難しい。また、超小型基地局（Femto Access Point＝Femto ＡＰ）からそのサービスエリアに存在する携帯端末に対して情報を提供する技術も知られているが、FemtoＡＰはセル範囲が極めて狭いので、その配下に存在する携帯端末が少ないため、一般的な情報を提供してもその情報がユーザの利便性に繋がらない可能性が高い。
【０００３】
そこで、通信事業者端末が、消費者（ユーザ）の時間、場所、志向などを考慮して、適切な広告情報を選択してピンポントで該当する携帯端末に配信することにより、ユーザに対してきめ細かな購買活動の支援を行う広告配信技術が開示されている（例えば、特許文献１参照）。また、サービスセンタが、所定期間ごとの集客統計情報を各店舗に提供して、店舗ごとの販売活動の支援を行う技術も開示されている（例えば、特許文献２参照）。さらに、広告作成送信センタが、登録販売店情報とユーザ関連情報と商品情報とをデータベースに格納していて、登録販売店の近くにいるユーザの携帯端末に対して、そのユーザの購買意識に対応した商品の広告情報を選択的に提供する技術も開示されている（例えば、特許文献３参照）。
【先行技術文献】
【特許文献】
【０００４】
【特許文献１】特開２００１−２８２８３４号公報
【特許文献２】特開２００３−１７８１８０号公報
【特許文献３】特開２００５−０７３１４７号公報
【発明の概要】
【発明が解決しようとする課題】
【０００５】
しかしながら、一般的な基地局から携帯端末に対して情報を配信する場合は、その基地局の配下に位置登録している携帯端末に対して個々のユーザの志向にマッチした情報を提供することができない。そのため、広告情報などのように、ターゲットとしているユーザ層が明確な情報を配信することは、一般的な基地局にとっては不向きである。
【０００６】
また、前記特許文献１に開示された技術においては、通信事業者が消費者の状況（位置、時刻、志向など）を調査し、提示する広告情報を選択してユーザの携帯端末へ送信しているが、店舗周辺に今存在しているユーザの携帯端末に対してリアルタイムで広告情報を提供するものではないので、購買活動中のユーザに対してリアルタイムで購買支援を行うことはできない。
【０００７】
また、前記特許文献２に開示された技術においても、過去の集客統計情報を各店舗に提供してそれぞれの店舗の販売活動の支援を行っているものであり、前記特許文献１と同様に、購買活動中のユーザに対してＴＰＯ（Time Position Occasion）に則した情報に基づいて購買支援を行うことはできない。
【０００８】
さらに、前記特許文献３の技術は、広告作成送信センタが、FemtoＡＰを介して、登録販売店の近くにいるユーザの携帯端末に対してリアルタイムで広告情報を提供することはできるが、広告作成送信センタがデータベースに格納している商品情報は、個々の販売店における販売時点情報（つまり、ＰＯＳ（Point of Sale）情報）ではないので、ユーザに提供する広告情報は画一的なものとなってしまう。そのため、特定の販売店近くにいるユーザに対して身近な広告情報を提供することができないので、ユーザに対してリアルタイムな購買支援を行うことができない。また、データベースの登録販売店情報は常に更新されているとは限らないので、最新の登録販売店情報が携帯端末に提供できない場合は、ユーザの携帯端末に対してリアルタイムに購買支援を行うことができない。
【０００９】
本発明は、このような事情に鑑みてなされたものであり、携帯端末の所有者であるユーザの志向に則した最新の情報をリアルタイムで提供することができる広告情報配信システム、広告情報配信方法、プログラム、及び広告配信サーバを提供することを目的とする。
【課題を解決するための手段】
【００１０】
また、本発明の広告情報配信システムは、ネットワークを介して、移動端末に対して電子広告を配信する広告情報配信システムであって、通信サービスエリアの配下に存在する移動端末の位置登録情報及び自己の配置場所情報を検出する極小型基地局と、販売店における購買情報及び時刻情報を収集するＰＯＳと、極小型基地局が送信した移動端末の位置登録情報とＰＯＳが送信した購買情報及び時刻情報とに基づいて、極小型基地局へ電子広告を送信する広告配信サーバとを備え、極小型基地局が、広告配信サーバから送信された電子広告を移動端末に対して配信するように構成されている。
【００１１】
上記の課題を解決するために、本発明の広告情報配信システムは、ネットワークを介して、極小型基地局の通信サービスエリアの配下に存在する移動端末に対して電子広告を配信する広告情報配信システムであって、広告配信サーバが、ＰＯＳの収集した購買情報及び時刻情報と、極小型基地局が検出した移動端末の位置登録情報とに基づいて、極小型基地局を介して移動端末へ電子広告を配信するように構成されている。
【００１２】
また、本発明は広告情報配信方法を提供することもできる。すなわち、ネットワークを介して、移動端末に対して電子広告を配信する広告情報配信方法であって、極小型基地局が、通信サービスエリアの配下に存在する移動端末の位置登録情報及び自己の配置場所情報を検出する第１のステップと、ＰＯＳが、販売店における購買情報及び時刻情報を収集する第２のステップと、広告配信サーバが、極小型基地局の送信した移動端末の位置登録情報と、ＰＯＳの送信した購買情報及び時刻情報とに基づいて、極小型基地局へ電子広告を送信する第３のステップと、極小型基地局が、広告配信サーバから送信された電子広告を移動端末に対して配信する第４のステップとを含む広告情報配信方法を提供することもできる。
【００１３】
また、本発明は、上記発明の広告情報配信方法をコンピュータに実行させるプログラムを提供することもできる。
【００１４】
また、本発明の広告配信サーバは、ネットワークを介して、極小型基地局の通信サービスエリアの配下に存在する移動端末に対して電子広告を配信する広告配信サーバであって、ＰＯＳの収集した購買情報及び時刻情報と、極小型基地局が検出した移動端末の位置登録情報とに基づいて、極小型基地局を介して移動端末へ電子広告を配信するように構成されている。
【発明の効果】
【００１５】
本発明の広告情報配信システムによれば、FemtoＡＰが携帯端末の位置登録をトリガとしてその携帯端末に広告情報を配信しているので、ユーザに対してリアルタイムで身近な広告情報を配信できることである。また、販売店ごとのＰＯＳによって収集したデータの統計情報から配信すべき広告情報を選択しているため、販売店近くにいるユーザの志向に沿った有益な広告情報を、そのユーザの携帯端末に配信することができる。さらに、販売店ごとにデータ蓄積のあるＰＯＳ情報を利用できるため、広告情報配信システムの運用を開始する前に購買情報の統計データを作成することができるので、情報収集にかかる時間を意識することなく、広告情報配信システムの運用を開始することが可能となる。
【図面の簡単な説明】
【００１６】
【図１】本発明の第１実施形態に係る広告情報配信システムの構成を示すブロック図である。
【図２】図1に示す広告配信サーバ３のデータ管理部１２が管理する第1のテーブルを示す図である。
【図３】図1に示す広告配信サーバ３のデータ管理部１２が管理する第２のテーブルを示す図である。
【図４】図１に示す広告情報配信システムの動作の流れを示すシーケンス図である。
【図５】本発明の第２実施形態に係る広告情報配信システムの構成を示すブロック図である。
【発明を実施するための形態】
【００１７】
本発明の広告情報配信システムは、超小型基地局（FemtoＡＰ）の位置登録情報と、FemtoＡＰに隣接する販売時点情報管理システム（ＰＯＳ）で収集した顧客の志向性情報とを一元管理するように構成されている。これによって、顧客の志向にマッチした商品の宣伝・広告情報を効率的に顧客の携帯端末に配信して購買支援を行うことができる。
【００１８】
また、本発明の広告情報配信システムは、ＰＯＳで収集した情報を時間と場所の２次元情報としてデータベース化し、広告情報として配信する際にはデータベースから最も効率よく広告情報を届けられると判断したFemtoＡＰの配下にある携帯端末のみに該当する広告情報を配信するように構成されている。以下、図面を参照しながら、本発明の広告情報配信システムについて幾つかの実施形態を詳細に説明する。
【００１９】
《第１実施形態》
図１は、本発明の第１実施形態に係る広告情報配信システムの構成を示すブロック図である。先ず、図１に示す第１実施形態の広告情報配信システムの構成について説明する。この広告情報配信システム１は、複数のFemtoセル２と1つの広告配信サーバ３とがネットワーク４に接続された構成となっている。また、それぞれのFemtoセル２内には、FemtoＡＰ５とＰＯＳ６と複数の移動端末（携帯端末）７ａ，７ｂとが存在している。すなわち、それぞれのFemtoＡＰ５が通信サービスエリアとしてFemtoセル２を形成し、FemtoＡＰ５が、自己の形成したエリアであるFemtoセル２内のＰＯＳ６と複数の移動端末（携帯端末）７ａ，７ｂとに通信サービスを行っている。
【００２０】
FemtoＡＰ５は、通信サービスエリアの半径が最大２００メートル程度と、通常のマクロセル向け基地局より小さい範囲のFemtoセル２を持った超小型携帯電話基地局である。このFemtoＡＰ５は、ユーザの移動端末７ａ，７ｂがFemtoセル２の配下に位置登録してきた際に、位置登録してきたユーザの移動端末７ａ，７ｂの端末情報とFemtoＡＰ５の設置場所情報とを広告配信サーバ３へ送信する機能を持っている。
【００２１】
また、FemtoＡＰ５は、ネットワーク４からの指示により、該当するFemtoセル２の配下にある全ての移動端末７ａ，７ｂに対して、一斉に情報を配信する機能を持っている。FemtoＡＰ５が行う情報の一斉配信にはＣＢＳ等の機能を受信することを前提とするが、その他の実施方法で配信してもよく、本実施形態では、FemtoＡＰ５から移動端末７ａ，７ｂへの情報の配信方法については周知の技術であるのでその説明は省略する。
【００２２】
ＰＯＳ６は、FemtoＡＰ５におけるFemtoセル２の配下に置かれていて、例えば、コンビニエンスストアなどに設置されている販売時点情報管理システムである。このＰＯＳ６は、顧客が商品を購入した際の、場所、時間、年齢、性別、購入物等の情報を集計する機能を有しており、且つ、それらの情報を広告配信サーバ３へ送信する機能を有している。また、移動端末７ａ，７ｂは、FemtoＡＰ５が送信した一斉配信情報を受信する機能を有している。
【００２３】
また、広告配信サーバ３は、ＰＯＳ６及びFemtoＡＰ５と情報の送受信を行うデータ送受信部１１と、ＰＯＳ６から受信したデータと電子広告とを管理するデータ管理部１２と、データ管理部１２に格納されたデータを分析して、そのデータ管理部１２に格納された電子広告を選択する電子広告選択部１３とを備えている。尚、FemtoＡＰ５、ＰＯＳ６及び広告配信サーバ３は、それぞれネットワーク４で接続されているが、その接続方法については本発明とは直接関係しないので説明を省略する。
【００２４】
図２は、図1に示す広告配信サーバ３のデータ管理部１２が管理する第1のテーブルを示す図である。すなわち、この図は、データ管理部１２が管理する位置情報（店舗情報）と時刻情報とをインデックスとした統計情報を示す図であり、店舗情報と時刻情報ごとの顧客の志向を示す統計情報がタグとしてデータ管理部１２のテーブルに格納されている状態を示している。例えば、図２のテーブルには、店舗Ａに１５時００分に入店する顧客の購入商品は志向ａであるという統計情報が登録されて格納されている。
【００２５】
図３は、図1に示す広告配信サーバ３のデータ管理部１２が管理する第２のテーブルを示す図である。すなわち、この図は、志向タグごとのユーザ志向性と配信すべき電子広告のマッピング情報を示す図であり、ユーザの志向性を分類してタグとしてマッピングする情報と、各タグごとに送信すべき電子広告のマッピング情報とがデータ管理部１２に格納されている状態を示している。例えば、図３のテーブルには、志向ａのタグは、ユーザ志向性が２０代女性の日用品に関する情報を、電子広告ａ及び電子広告ｂによって配信するというマッピング情報を示している。尚、タグとユーザ志向性のマッピングは、広告配信サーバ1を設置するときにデフォルト値として設定される。また、タグと電子広告のマッピングは、広告依頼主の依頼により実施される。
【００２６】
次に、シーケンス図を用いて、図１に示す広告情報配信システムの動作について説明する。図４は、図１に示す広告情報配信システムの動作の流れを示すシーケンス図である。従って、図１、図２、及び図３を参照しながら、図４のシーケンス図の流れに従って広告情報配信システムの動作を説明する。
【００２７】
コンビニエンスストアなどに設置されているＰＯＳ６は、顧客が商品を購入した際、顧客情報及び商品情報を収集して、時刻情報及び店舗情報（位置情報）とともに、購買情報通知のメッセージとして広告配信サーバ３のデータ送受信ブ１１へ送信する（ステップＳ１）。このとき、顧客情報には顧客の性別や年代などが含まれている。
【００２８】
次に、購買情報通知のメッセージを受信した広告配信サーバ３内のデータ送受信部１１は、データ管理部１２へ購買情報格納のメッセージを送信し、データ管理部１２に対して購買情報の分析と統計を指示する（ステップＳ２）。
【００２９】
すると、購買情報格納のメッセージを受信したデータ管理部１２は、受信した購買情報に基づいて、図３のテーブルのデータを使用して顧客の志向性を分析し、該当するタグ（例えば、２０代女性の日用品に関する志向ａのタグ）を抽出し、抽出されたタグ（例えば、志向ａのタグ）を、店舗情報（例えば、店舗Ａ）及び時刻情報（例えば、１５時００分）と共に図２の統計情報のテーブルに格納する。つまり、データ管理部１２は、購買情報を統計データとして図２に示すテーブルに格納して管理する（ステップＳ３）。
【００３０】
次に、データ管理部１２が広告依頼主１５より電子広告格納依頼を受信すると（ステップＳ４）、データ管理部１２は、図３のテーブルを使用して電子広告のターゲットとなる客層のタグ（例えば、志向ａのタグ）を選択し、選択されたタグ（例えば、志向ａのタグ）を図３のテーブルの配信広告（例えば、電子広告ａ及び電子広告ｂ）に登録し、タグ（例えば、志向ａのタグ）と電子広告（例えば、電子広告ａ及び電子広告ｂ）とをマッピングして格納する。つまり、データ管理部１２は、電子広告を統計データとマッピングして図３に示すテーブルに格納する（ステップＳ５）。
【００３１】
次に、移動端末７からFemtoＡＰ５へ位置登録情報を送信すると（ステップＳ６）、移動端末７から位置登録情報を受信したFemtoＡＰ５は、移動端末７の位置登録が発生したことと、FemtoＡＰ５の設置場所情報とを、位置登録の通知のメッセージとして広告配信サーバ３のデータ送受信部１１へ通知する（ステップＳ７）。
【００３２】
すると、位置登録情報の通知を受けたデータ送受信部１１は、位置登録情報の通知のメッセージを電子広告選択部１３へ転送する（ステップＳ８）。これによって、位置登録情報の通知のメッセージを受信した電子広告選択部１３は、位置登録の通知のメッセージ内に含まれる店舗情報（例えば、店舗Ａ）とメッセージの受信時刻（例えば、１５時００分）とをキーにして、データ管理部１２が管理している図２のテーブルから該当する志向タグ（例えば、志向ａ）を抽出し、抽出した志向タグ（例えば、志向ａ）をキーにして、データ管理部１２が管理している図３のテーブルから配信すべき電子広告データ（例えば、電子広告ａ及び電子データｂ）を検索する（ステップＳ９）。
【００３３】
電子広告選択部１３は、電子広告の検索を終えると、検索した電子広告（例えば、電子広告ａ及び電子データｂ）の送信をFemtoＡＰ５に指示するための電子広告送信指示のメッセージをデータ送受信部１１へ送信する（ステップＳ１０）。すると、電子広告送信指示のメッセージを受信したデータ送受信部１１は、その電子広告送信指示のメッセージをFemtoＡＰ５へ転送する（ステップＳ１１）。そして、電子広告送信指示のメッセージを受信したFemtoＡＰ５は、配下のFemtoセル２に位置登録している全ての移動端末７ａ、７ｂに対して電子広告の配信を行う（ステップＳ１２）。
【００３４】
以上に説明したように、本発明の第１実施形態に係る広告情報配信システムによれば、ＰＯＳ６は、顧客情報、購入した商品の情報、店舗情報、及び時刻情報を広告配信サーバ３に送信し、広告配信サーバ３は、受診した情報に基づいて場所と時刻とをインデックスとした統計情報を作成する。
【００３５】
一方、広告主がターゲットとする客層を広告配信サーバへ登録すると、広告配信サーバは、先に作成した統計情報からターゲットとする客層が存在する確率の高い場所と時間において該当する広告を登録する。また、FemtoＡＰ５は、配下にユーザの移動端末が位置登録してきた際に、そのことを広告配信サーバ３へ通知する。これによって、位置登録の通知を受けた広告配信サーバ３は、該当する場所と該当する時間に登録されている広告情報（電子広告）を、FemtoＡＰ５の配下（Femtoセル２）に存在するユーザの移動端末７ａ，７ｂに対して配信する。これによって、販売店ごとのＰＯＳ６によって収集したデータの統計情報から配信すべき広告情報を選択できるため、ユーザの志向に沿った有益な広告情報（電子広告）をその移動端末７ａ，７ｂに配信することができる。
【００３６】
《第２実施形態》
前述の第１実施形態の広告情報配信システムでは、広告配信サーバはネットワークに接続されて外部機器に設けられていたが、第２実施形態の広告情報配信システムでは、広告配信サーバの機能をＰＯＳ内に備えてもよい。図５は、本発明の第２実施形態に係る広告情報配信システムの構成を示すブロック図である。すなわち、図５に示す第２実施形態の広告情報配信システムの構成は、ＰＯＳ内に広告配信サーバの機能を備えた以外は、図１に示す構成と実質的には同じであるので、図１と実質的に同じ構成要素については図１と同一符合を付す。また、重複する説明は省略して、第２実施形態の広告情報配信システムに固有の構成及び動作のみについて説明する。
【００３７】
図５において、Femtoセル２内に存在するＰＯＳ６ａは、データ送信部１１、データ管理部１２、及び電子広告選択部１３を有する広告配信サーバ機能３ａを備えている。尚、データ送信部１１、データ管理部１２、及び電子広告選択部１３の機能は、図１に示す第１実施形態と同一の機能を有している。
【００３８】
図５の広告情報配信システム１では、FemtoＡＰ５は位置登録の通知をＰＯＳ６ａに対して行う。この場合、ＰＯＳ６ａ内に広告配信サーバ機能３ａを具備させることで、ネットワーク４側にサーバを設置することなく、第１実施形態と同様の広告情報配信サービスを実現することができる。
【００３９】
また、第２実施形態の変形例として、ＰＯＳを自動改札機としてもよい。その場合は、ユーザが自動改札機（ＰＯＳ）を通過した際に、通過したユーザ情報を広告配信サーバ機能３ａのデータ管理部１２に格納することになる。これによって、ユーザが自動改札機（ＰＯＳ）を通過した駅周辺の情報をユーザの移動端末７ａ，７ｂに配信することができる。
【００４０】
なお、上述の広告情報配信システムは、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００４１】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００４２】
本発明の広告情報配信システムは、ピンポイントでユーザ志向の情報を提供することができるので、コンビニエンスストアや小売店など販売促進に有効に利用することができる。
【符号の説明】
【００４３】
１  広告情報配信システム
２  Femtoセル
３  広告配信サーバ
３ａ  広告配信サーバ機能
４  ネットワーク
５  FemtoＡＰ
６、６ａ  ＰＯＳ
７ａ，７ｂ  移動端末（携帯端末）
１１  データ送受信部
１２  データ管理部
１３  電子広告選択部
【図１】
2010170426.tif 000003
【図２】
2010170426.tif 000004
【図３】
2010170426.tif 000005
【図４】
2010170426.tif 000006
【図５】
2010170426.tif 000007